(57)【要約】      （修正有）【課題】スリーブ収納方式のワイヤーライン・コアバーレルに関し、コアがスリーブに収納されない内管部の先端部の長さを極力短尺化させ、コア詰まりを抑制し、コアを適正に採取することを可能とする。【解決手段】コアリフターケース４とインナーエクステンション５とを接続する螺合手段Ｎは、第１ねじ部Ｎ１が、最小限の長さでコアリフターケース４の外周に設けられている雄ねじ部７と、第２ねじ部Ｎ２が、最小限の長さでインナーエクステンション５の前端内周に設けられている雌ねじ部８と、により構成されている。【選択図】図１
2013036192.tif 000002
【特許請求の範囲】
【請求項１】
ビットが下端に設けられた外管部、および前記外管部の内部にコアリフターが摺動可能に介装されるテーパ摺動面を内周に有するコアリフターケース、前記コアリフターケースに接続されるインナーエクステンション、前記インナーエクステンションの外周に一端が螺合されるスリーブケースが備えられ、前記コアリフターケースの後端に第１ねじ部が設けられ、前記インナーエクステンションの前端に前記第１ねじ部に螺合される第２ねじ部が設けられることにより、螺合手段が構成されたスリーブ収納方式のワイヤーライン・コアバーレルにおいて、
（イ）前記螺合手段は、前記第１ねじ部が、最小限の長さで前記コアリフターケースの外周に設けられている雄ねじ部と、
（ロ）前記第２ねじ部が、最小限の長さで前記インナーエクステンションの前端内周に設けられている雌ねじ部と、により構成されている、
ことを特徴とするスリーブ収納方式のワイヤーライン・コアバーレル。
【請求項２】
前記コアリフターケースの内周面のほぼ前端から全幅にわたり、前記コアリフターのテーパ摺動面が設けられていることを特徴とする請求項１に記載のスリーブ収納方式のワイヤーライン・コアバーレル。
【請求項３】
前記コアリフターケースの外周と前記インナーエクステンションとの接続部の外周径とが、略一致して構成されているとともに、前記インナーエクステンションの内周径が、前記コアリフターケースの内周に設けられた前記テーパ摺動面の後端部の内周径よりも小さく形成され、生じた段差によりコアリフターがそれ以上摺動しない上限となるよう構成されていることを特徴とする請求項１または２に記載のスリーブ収納方式のワイヤーライン・コアバーレル。
【請求項４】
前記インナーエクステンションの外周には、ねじ着脱用の工具のピン挿入穴が設けられていることを特徴とする請求項１−３の何れかに記載のスリーブ収納方式のワイヤーライン・コアバーレル。
【請求項５】
前記インナーエクステンションの接続側における外周部に前記スリーブケースの前端内周に設けた第４ねじ部に螺合される第３ねじ部が設けられ、前記第３ねじ部が最小限の長さで雄ねじ部として設けられ、前記第４ねじ部が最小限の長さで雌ねじ部として設けられていることを特徴とする請求項１−４の何れかに記載のスリーブ収納方式のワイヤーライン・コアバーレル。
【発明の詳細な説明】
【技術分野】
【０００１】
本発明はスリーブ収納方式のワイヤーライン・コアバーレルに関し、コアがスリーブに収納されない内管部の先端部の長さを極力短尺化させ、コア詰まりを抑制し、コアを適正に採取しようとする。
【背景技術】
【０００２】
従来、コア採取装置において、コアを掘削後にコアを地上に引き上げるための装置として普通工法用コアバーレルと、ワイヤーライン・コアバーレルとが知られている。このうち、普通工法用コアバーレルでは、コアを採取するのに、コアバーレル毎掘削したコアを地上に引き上げるので、構成部品の脱落が無いため、コアバーレルの内管部の先端部における構成部品相互の取付は、差込嵌合が一般的であった。
【０００３】
ところが、ワイヤーライン・コアバーレルでは、掘削作業の効率化をはかるために、前記普通工法用コアバーレルが、コアバーレル毎地上に引き上げるのとは異なり、コアバーレルの外管部内に配挿されているインナーチューブ組立体のみを地上に引き上げるので、内管部の先端部における構成部品相互の取付は、螺合手段を用いられている。
【０００４】
ところで、従来、ビットが下端に設けられた外管部、および前記外管部の内部に掘削されたコアを保持するためのコアリフターが摺動可能に介装されるテーパ摺動面を内周に有するコアリフターケース、前記コアリフターケースに接続される筒状のインナーエクステンション、前記インナーエクステンションの外周にスリーブを折り畳んで収納し、前記インナーエクステンションに接続されるスリーブケースが備えられ、前記コアリフターケースの後端に第１ねじ部が設けられ、前記インナーエクステンションの前端に前記第１ねじ部に螺合される第２ねじ部が設けられることにより、螺合手段が構成されているコアバーレルがあった（例えば特許文献１参照）。
【先行技術文献】
【特許文献】
【０００５】
【特許文献１】特開平８−７４４８９号公報
【発明の概要】
【発明が解決しようとする課題】
【０００６】
しかしながら、上記従来のコアバーレルでは、コアリフターケースの後端内周に設けられた第1ねじ部が雌ねじとして設けられ、コアリフターケースに接続される筒状のインナーエクステンションの前端外周には前記第１ねじ部に螺合する第２ねじ部が雄ねじとして螺合手段が構成されているので、コアリフターケースと、インナーエクステンションとを螺合手段を介して接続した場合には、インナーエクステンションの外周に設けられる前記雄ねじ部が内嵌合しコアリフターケースの内周に露呈することになる。
【０００７】
従って、コアを採取するのに、コアを保持するコアリフターを摺動させるために、コアリフターケースの内周に設けられるテーパ摺動面を確保しなければならないが、前記のように雄ねじ部が内嵌合し、コアリフターケースの内周に露呈するため、テーパ摺動面を前記第１ねじの雌ねじの前方に設けた場合には、コアリフターケース自体は、必然的に全長が長くなってしまう。
【０００８】
また先端部品のコアリフターケースと、インナーエクステンションとをねじ部により螺合させる場合と、また、インナーエクステンションとスリーブケースとをそれぞれのねじにより螺合させる場合には、ねじの締め付けおよび緩め戻しのためにそれぞれを固定保持するための手段が必要となるが、一般的にはパイプレンチなどの一般工具を用いて作業するためにその工具幅以上の外周面が別途必要となり、従来からの差込嵌合の内管部の先端部よりも必然的に長くなってしまう。
【０００９】
ところが、コアの採取の観点からは、合成樹脂ビニールのような可撓性素材にて袋状に構成されたスリーブによってコアを包み込むためのスリーブ収納方式を採用するコアバーレルでは、コアの表面を合成樹脂ビニールの被膜により保護するとともに、コアの進行に対する摩擦抵抗を極力低減しコア詰まりを抑制するが、スリーブで包まれない先端部ではその効果は得られない。そのため、この先端部の長さは極力短くしたほうが良く、スリーブ収納方式のワイヤーライン・コアバーレルにおいては、ねじ嵌合による先端部の長さの短尺化の開発が望まれていた。
【００１０】
本発明は上記従来の欠点を解決し、コアがスリーブに収納されない内管部の先端部の長さを極力短尺化させ、コア詰まりを抑制し、コアの適正な採取をはかるスリーブ収納方式のワイヤーライン・コアバーレルを提供することを目的とする。
【課題を解決するための手段】
【００１１】
本発明の請求項１に記載の発明は、ビットが下端に設けられた外管部、および前記外管部の内部にコアリフターが摺動可能に介装されるテーパ摺動面を内周に有するコアリフターケース、前記コアリフターケースに接続されるインナーエクステンション、前記インナーエクステンションの外周に一端が螺合されるスリーブケースが備えられ、前記コアリフターケースの後端に第１ねじ部が設けられ、前記インナーエクステンションの前端に前記第１ねじ部に螺合される第２ねじ部が設けられることにより、螺合手段が構成されたスリーブ収納方式のワイヤーライン・コアバーレルにおいて、
（イ）前記螺合手段は、前記第１ねじ部が、最小限の長さで前記コアリフターケースの外周に設けられている雄ねじ部と、
（ロ）前記第２ねじ部が、最小限の長さで前記インナーエクステンションの前端内周に設けられている雌ねじ部と、により構成されている、
ことを特徴とする。
【００１２】
また、本発明の請求項２に記載の発明は、請求項１において、前記コアリフターケースの内周面のほぼ前端から全幅にわたり、前記コアリフターのテーパ摺動面が設けられていることを特徴とする。
【００１３】
また、本発明の請求項３に記載の発明は、請求項１または２において、前記コアリフターケースの外周と前記インナーエクステンションとの接続部の外周径とが、略一致して構成されているとともに、前記インナーエクステンションの内周径が、前記コアリフターケースの内周に設けられた前記テーパ摺動面の後端部の内周径よりも小さく形成され、生じた段差によりコアリフターがそれ以上摺動しない上限となるよう構成されていることを特徴とする。
【００１４】
また、本発明の請求項４に記載の発明は、請求項１−３の何れかにおいて、前記インナーエクステンションの外周には、ねじ着脱用の工具のピン挿入穴が設けられていることを特徴とする。
【００１５】
また、本発明の請求項５に記載の発明は、請求項１−４の何れかにおいて、前記インナーエクステンションの接続側における外周部に前記スリーブケースの前端内周に設けた第４ねじ部に螺合される第３ねじ部が設けられ、前記第３ねじ部が最小限の長さで雄ねじ部として設けられ、前記第４ねじ部が最小限の長さで雌ねじ部として設けられていることを特徴とする。
【発明の効果】
【００１６】
本発明の請求項１に記載の発明によれば、ビットが下端に設けられた外管部、および前記外管部の内部にコアリフターが摺動可能に介装されるテーパ摺動面を内周に有するコアリフターケース、前記コアリフターケースに接続されるインナーエクステンション、前記インナーエクステンションの外周に一端が螺合されるスリーブケースが備えられ、前記コアリフターケースの後端に第１ねじ部が設けられ、前記インナーエクステンションの前端に前記第１ねじ部に螺合される第２ねじ部が設けられることにより、螺合手段が構成されたスリーブ収納方式のワイヤーライン・コアバーレルにおいて、前記螺合手段は、前記第１ねじ部が、最小限の長さで前記コアリフターケースの外周に設けられている雄ねじ部と、前記第２ねじ部が、最小限の長さで前記インナーエクステンションの前端内周に設けられている雌ねじ部と、により構成されているので、この螺合長さが短くなるため、スリーブに包まれない内管部の先端部の全長が短くなる。
【００１７】
そして、コアリフターケースと、インナーエクステンションとを接続する場合に、コアリフターケースの外周に設けられている第1ねじ部としての雄ねじ部が、前記インナーエクステンションの前端内周に設けられている第２ねじ部としての雌ねじ部に螺合するため、従来のインナーエクステンションの雄ねじ部が内嵌合し、コアリフターケースの内周に露呈し、テーパ摺動面が前記第１ねじの雌ねじ部の前方に設けられるために、コアリフターケース自体が、必然的に全長が長くなってしまうのとは異なり、コアリフターケースの内周には、当然のことながら、その外周に設けられた雄ねじは露呈せず、コアリフターケースの全内周には、コアリフターを摺動させるための充分な長さとなるテーパ摺動面のみが構成された状態となるため、コアリフターケース自体は、全長が短尺化され、スリーブに包まれない内管部の先端部の全長は短くなる。
【００１８】
従って、スリーブによってコアを包み込むためのスリーブ収納方式を採用したワイヤーライン・コアバーレルでも、内管部の先端部の全長は短くなり、コア詰まりが抑制できる。
【００１９】
また、本発明の請求項２に記載の発明によれば、請求項１において、前記コアリフターケースの内周面のほぼ前端から全幅にわたり、前記コアリフターのテーパ摺動面が設けられているので、必要最小限のテーパ摺動長さを設ければ良いため、コアリフターケース自体の全長を短尺化出来る。
【００２０】
そして、コアリフターケースの全内周には、コアリフターを摺動させるための必要最小限の長さのテーパ摺動面が構成され、コアリフターケース自体は、全長が短尺化され、スリーブに包まれない内管部の先端部の全長は短くなる。
【００２１】
従って、スリーブによってコアを包み込むためのスリーブ収納方式を採用したワイヤーライン・コアバーレルでは、内管部の先端部の全長は短くなり、掘削時におけるコア詰まりが抑制できる。
【００２２】
また、本発明の請求項３に記載の発明によれば、請求項１または２において、前記コアリフターケースの外周と前記インナーエクステンションとの接続部の外周径とが、略一致して構成されているとともに、前記インナーエクステンションの内周径が、前記コアリフターケースの内周に設けられた前記テーパ摺動面の後端部の内周径よりも小さく形成され、生じた段差によりコアリフターがそれ以上摺動しない上限となるよう構成されているので、コアリフターケースと、インナーエクステンションとを接続する場合に、コアリフターケースの外周に設けられている第１ねじ部としての雄ねじ部を、前記インナーエクステンションの前端内周に設けられている第２ねじ部としての雌ねじ部に、螺合することにより、コアリフターケースの外周とインナーエクステンションとの接続部の外周径は略一致して接続されているとともに、インナーエクステンションの内周径は前記コアリフターケースの内周に設けられた前記テーパ摺動面の後端部の内周径よりも小さく形成されており、生じた段差によりコアリフターがそれ以上摺動しない上限となるように接続される。
【００２３】
本発明は、従来のインナーエクステンションの雄ねじ部がコアリフターケースの内周に露呈し、段差となってコアリフターがそれ以上摺動しない上限となる構造により、コアリフターケース自体が、必然的に全長が長くなってしまうのとは異なり、コアリフターケース自体を短尺化した上で、インナーエクステンションの内部に、コアリフターがそれ以上摺動しないためのその上限となる構造を新たに設けている。
【００２４】
そして、スリーブに包まれない内管部の先端部の全長は短くなり、掘削時におけるコア詰まりが抑制できる。
【００２５】
また、本発明の請求項４に記載の発明によれば、請求項１−３の何れかにおいて、前記インナーエクステンションの外周には、ねじ着脱用の工具のピン挿入穴が設けられているので、先端部品のコアリフターケースと、インナーエクステンションとをねじ部により螺合させる場合、また、インナーエクステンションと、スリーブケースとを螺合させる場合に、それぞれの螺合しているねじ部の締め付けおよび緩め戻しを行うために、ねじ着脱用工具を用いることでインナーエクステンションの外周部の長さを最小限に短くでき、インナーエクステンション自体の長さも短尺化できる。
【００２６】
そして、スリーブに包まれない内管部の先端部の全長は短くなり、掘削時におけるコア詰まりが抑制できる。
【００２７】
また、本発明の請求項５に記載の発明によれば、請求項１−４の何れかにおいて、前記インナーエクステンションの接続側における外周部に前記スリーブケースの前端内周に設けた第４ねじ部に螺合される第３ねじ部が最小限の長さで雄ねじ部として設けられ、前記第４ねじ部が最小限の長さで雌ねじ部として設けられているので、インナーエクステンション及びスリーブケースの長さをそれぞれ短尺化することができる。
【００２８】
そして、スリーブに包まれない内管部の先端部の全長は短くなり、掘削時におけるコア詰まりが抑制できる。
【図面の簡単な説明】
【００２９】
【図１】図１は本発明のスリーブ収納方式のワイヤーライン・コアバーレルの実施形態において、先端部を示す拡大断面図である。
【図２】図２は同じくスリーブ収納方式のワイヤーライン・コアバーレルの先端部を示す拡大部分断面図である。
【図３】図３は同じくコアの採取状態を示す拡大断面図である。
【図４】図４は同じくスリーブ収納方式のワイヤーライン・コアバーレルの全景を示す断面図である。
【図５】図５は同じく本実施形態を構成するねじ着脱用の工具を示す斜視図である。
【発明を実施するための形態】
【００３０】
以下図面に従い、本発明を実施するための最良の形態につき詳細を説明する。
【００３１】
本実施形態によれば、ビット２が下端に設けられた外管部１、および前記外管部１の内部にコアリフター３が摺動可能に介装されるテーパ摺動面４ａを内周に有するコアリフターケース４、前記コアリフターケース４に接続されるインナーエクステンション５、前記インナーエクステンション５の外周に一端６ａが螺合されるスリーブケース６が備えられ、前記コアリフターケース４の後端に第１ねじ部Ｎ１が設けられ、前記インナーエクステンション５の前端に前記第１ねじ部Ｎ１に螺合される第２ねじ部Ｎ２が設けられることにより、螺合手段Ｎが構成されたスリーブ収納方式のワイヤーライン・コアバーレルである点は特許文献１に記載の従来の発明と同様の構成である。
【００３２】
しかしながら、本実施形態では、前記螺合手段Ｎは、前記第1ねじ部Ｎ１が、最小限の長さで前記コアリフターケース４の外周に設けられている雄ねじ部７と、前記第２ねじ部Ｎ２が、最小限の長さで前記インナーエクステンション５の前端内周に設けられている雌ねじ部８と、により構成されている。
【００３３】
前記コアリフターケース４の内周面のほぼ前端から、前記コアリフター３のテーパ摺動面４ａが設けられている。
【００３４】
前記コアリフターケース４の外周と前記インナーエクステンション５との接続部の外周径φ１,φ２は略一致して構成されているとともに、前記インナーエクステンション５の内周径φ４は前記コアリフターケース４の内周に設けられた前記テーパ摺動面４ａの後端部の内周径φ３よりも小さく形成されており、生じた段差によりコアリフター３がそれ以上摺動しない上限となるように構成されている。
【００３５】
９は前記インナーエクステンション５の外周に設けられたねじ着脱用の工具１０のピンＰを挿入するためのピン挿入穴である。
【００３６】
このように、インナーエクステンション５の外周にねじ着脱用の工具１０のピンＰを挿入するためのピン挿入穴９を設けたのは、先端部品のコアリフターケース４と、インナーエクステンション５とを螺合しているねじ部としての前記第1ねじ部Ｎ１と、前記第２ねじ部Ｎ２との締め付けおよび緩め戻しを行うためと、また、インナーエクステンション５とスリーブケース６とをそれぞれの螺合しているねじ部としての後記第３ねじ部Ｎ３と、後記ねじ部Ｎ４との締め付けおよび緩め戻しを行うためである。
【００３７】
前記インナーエクステンション５の接続側における外周部には前記スリーブケース６の前端内周に設けられた第４ねじ部Ｎ４に螺合される第３ねじ部Ｎ３が設けられ、前記第３ねじ部Ｎ３が最小限の長さで雄ねじ部１１として設けられ、前記第４ねじ部Ｎ４が最小限の長さで雌ねじ部１２として設けられている。
【００３８】
１３はインナーエクステンション５の他端内に取り付けられたガイドプラグであり、このガイドプラグ１３にはスリーブＳの一端が取付けられる。
【００３９】
本実施形態のスリーブ収納方式のワイヤーライン・コアバーレルは以上の構成からなり、前記螺合手段Ｎは、前記第1ねじ部Ｎ１が、前記コアリフターケース４の外周に設けられている最小限の長さの雄ねじ部７と、前記第２ねじ部Ｎ２が、前記インナーエクステンション５の前端内周に設けられている最小限の長さの雌ねじ部８と、により構成されているので、コアリフターケース４と、インナーエクステンション５とを接続する場合に、この螺合長さが短くなるため、スリーブに包まれない内管部の先端部の全長が短くなる。
【００４０】
更に、コアリフターケース４の外周に設けられている第1ねじ部Ｎ１としての雄ねじ部７を、前記インナーエクステンション５の前端内周に設けられている第２ねじ部Ｎ２としての雌ねじ部８に螺合すると、従来のコアバーレルでは、インナーエクステンションの雄ねじ部が内嵌合することで、コアリフターケースの内周に露呈し、テーパ摺動面が前記第１ねじの雌ねじの前方に設けられるために、コアリフターケース自体は、必然的に全長が長くなってしまうのとは異なり、本実施形態では、コアリフターケース４の内周には、当然のことながら、その外周に設けられた雄ねじ部７は露呈しないとともに、コアリフターケース４の全内周には、コアリフター３を摺動させるための充分な長さとなるテーパ摺動面４ａのみが構成された状態となるため、コアリフターケース４自体の全長が短尺化される。
【００４１】
そして、コアリフターケース４の全内周が、コアリフター３を摺動させるための充分な長さであるテーパ摺動面４ａのみが構成された状態であるため、必要最小限のテーパ摺動長さにすれば、コアリフターケース４自体の全長を更に短尺化出来る。
【００４２】
従って、スリーブＳによってコアＫを包み込むためのスリーブ収納方式を採用した本実施形態のワイヤーライン・コアバーレルでは、インナーチューブ組立体Ｗの先端部の全長Ｌは短くなり、コア詰まりが抑制できる。
【００４３】
また、前記コアリフターケース４の外周と前記インナーエクステンション５との接続部の外周径φ１,φ２は略一致して構成されているとともに、前記インナーエクステンション５の内周径φ４は前記コアリフターケース４の内周に設けられた前記テーパ摺動面４ａの後端部の内周径φ３よりも小さく形成されており、生じた段差によりコアリフター３がそれ以上摺動しない上限となるよう構成されているので、コアリフターケース４と、インナーエクステンション５とを接続する場合に、コアリフターケース４の外周に設けられている第１ねじ部Ｎ１としての雄ねじ部７を、前記インナーエクステンション５の前端内周に設けられている第２ねじ部Ｎ２としての雌ねじ部８に、螺合することにより、コアリフターケース４の外周とインナーエクステンション５との接続部の外周径φ１,φ２は略一致して接続されているとともに、インナーエクステンション５の内周径φ４は前記コアリフターケース４の内周に設けられた前記テーパ摺動面４ａの後端部の内周径φ３よりも小さく形成されており、生じた段差によりコアリフター３がそれ以上摺動しない上限となるように接続される。
【００４４】
このため、従来のコアバーレルのインナーエクステンションの雄ねじ部がコアリフターケースの内周に露呈し、段差となってコアリフターがそれ以上摺動しない上限となる構造により、コアリフターケース自体が、必然的に全長が長くなってしまうのとは異なり、本実施形態ではコアリフターケース４自体を短尺化した上で、インナーエクステンション５の内部に、コアリフター３がそれ以上摺動しないその上限とする構造を設けることができる。
【００４５】
インナーエクステンション５の外周には、ねじ着脱用の工具１０のピン挿入穴９を設けているので、先端部品のコアリフターケース４とインナーエクステンション５とが螺合されている第１ねじ部Ｎ１と第２ねじ部Ｎ２の締付けおよび緩め戻しを行うためと、インナーエクステンション５と、スリーブケース６とがそれぞれの螺合している第３ねじ部Ｎ３と第４ねじ部Ｎ４との締め付けおよび緩め戻しを行うために、ねじ着脱用の工具１０を用いてインナーエクステンション５の外周部を固定保持すれば、それぞれ相当幅を有しているコアリフターケース４及びスリーブケース６の外周面上にパイプレンチ等を使用してねじを着脱することができる。従って、インナーエクステンション５の外周部の長さは、パイプレンチ等の工具幅を設けることなく最小限に短くでき、そのためインナーエクステンション５自体の長さも短尺化できる。
【００４６】
また、前記インナーエクステンション５の接続側における外周部には前記スリーブケース６の前端内周に設けられた第４ねじ部Ｎ４に螺合される第３ねじ部Ｎ３が設けられ、前記第３ねじ部Ｎ３が最小限の長さで雄ねじ部１１として設けられ、前記第４ねじ部Ｎ４が最小限の長さで雌ねじ部１２として設けられているので、インナーエクステンション５及びスリーブケース６の全長をそれぞれ短尺化することができる。
【００４７】
以上より、内管部の先端部の長さを構成しているコアリフターケース４、インナーエクステンション５及びスリーブケース６についてそれぞれが短尺化されて、それらを組付けた全長が短くなり、スリーブSに包まれない内管部の全長Lは短くなる。
【産業上の利用可能性】
【００４８】
本発明は、コアがスリーブに収納されない内管部の先端部の長さを極力短尺化させ、コア詰まりを抑制し、コアの適正な採取をはかる用途・機能に適する。
【符号の説明】
【００４９】
１    外管部
２    ビット
３    コアリフター
４    コアリフターケース
４ａ  テーパ摺動面
５    インナーエクステンション
６    スリーブケース
６ａ  スリーブケースの前端
７    雄ねじ部
８    雌ねじ部
９    ピン挿入穴
１０  ねじ着脱用の工具
１１  雄ねじ部
１２  雌ねじ部
１３  ガイドプラグ
Ｋ    コア
Ｌ    内管部の先端部の長さ
Ｎ    螺合手段
Ｎ１  第１ねじ部
Ｎ２  第２ねじ部
Ｎ３  第３ねじ部
Ｎ４  第４ねじ部
Ｐ    ピン
Ｓ    スリーブ
Ｗ    インナーチューブ組立体
φ１  コアリフターケースの後端部外径
φ２  インナーエクステンションの前端部外径
φ３  コアリフターケースの後端部内径
φ４  インナーエクステンションの前端部内径
【図１】
2013036192.tif 000003
【図２】
2013036192.tif 000004
【図３】
2013036192.tif 000005
【図４】
2013036192.tif 000006
【図５】
2013036192.tif 000007